(57)【要約】【課題】演出部材の一連の演出動作を確実に実行可能な遊技機用の可動式演出装置を提供する。【解決手段】可動式演出装置３８は、遊技盤の装飾部材に固定された装置本体４４に配設された第１および第２駆動手段４０,４２と、第１駆動手段４０および演出部材３６に連繋して、第１駆動手段４０の駆動により作動して演出部材３６に第１の演出動作を行なわせる第１作動機構４６と、第２駆動手段４２および演出部材３６に連繋して、第２駆動手段４２の駆動により作動して演出部材３６に第２の演出動作を行なわせる第２作動機構４８を備える。また、可動式演出装置３８は、演出部材３６が第１の演出動作を完了した時にＯＮ状態とされて、第２駆動手段４２の駆動を許容する開閉スイッチ手段６０を備えている。【選択図】図３
2008125565.tif 000002
【特許請求の範囲】
【請求項１】
図柄を変動表示させて遊技演出を行なう図柄表示装置が臨む装飾部材に配設され、前記図柄表示装置の遊技演出に合わせて演出部材に所定の演出動作を行なわせる遊技機用の可動式演出装置において、
前記装飾部材に固定された装置本体に配設された第１および第２駆動手段と、
前記第１駆動手段および前記演出部材に連繋して、該第１駆動手段の駆動により作動して演出部材に第１の演出動作を行なわせる第１作動機構と、
前記第２駆動手段および前記演出部材に連繋して、該第２駆動手段の駆動により作動して演出部材に第２の演出動作を行なわせる第２作動機構と、
前記演出部材が第１の演出動作を完了した時にＯＮ状態とされて、前記第２駆動手段の駆動を許容するスイッチ手段とを備えている
ことを特徴とする遊技機用の可動式演出装置。
【請求項２】
前記スイッチ手段は、前記演出部材の第１の演出動作と共に移動する可動素子と、演出部材の第１の演出動作の完了時に可動素子が接触して前記ＯＮ状態とする固定素子とを備え、両素子は、前記第２の演出動作時の接触状態が維持されるようにした請求項１記載の遊技機用の可動式演出装置。
【請求項３】
前記可動素子を前記第１作動機構に設けると共に、前記固定素子を、前記装置本体において該第１作動機構が前記演出部材に第１の演出動作を行なわせたときの可動素子が臨む位置に固定配置し、演出部材を第２の演出動作が許容されるよう第１作動機構に移動可能に連携することで、演出部材の第２の演出動作の間、第１作動機構は、演出部材に第１の演出動作を行なわせた位置に保持される請求項２記載の遊技機用の可動式演出装置。
【請求項４】
前記可動素子を前記演出部材に設けると共に前記固定素子が前記装置本体に配設され、該固定素子を、演出部材が第２の演出動作を行なう際の可動素子の移動軌跡に沿って延在させて、第２の演出動作時における可動素子および固定素子の接触状態が維持されるようにした請求項２記載の遊技機用の可動式演出装置。
【発明の詳細な説明】
【技術分野】
【０００１】
この発明は、図柄を変動表示させて遊技演出を行なう図柄表示装置が臨む装飾部材に配設され、この図柄表示装置の遊技演出に合わせて演出部材に所定の演出動作を行なわせる遊技機用の可動式演出装置に関するものである。
【背景技術】
【０００２】
代表的な遊技機であるパチンコ機は、機内にセットされる遊技盤の盤面に画成した遊技領域の略中央位置に装飾部材(センター役物)が配設されて、該装飾部材に開設した開口部に、各種図柄を変動および停止表示させて所要の図柄変動ゲームを行なう図柄表示装置を臨ませるよう構成される。そして、遊技盤の盤面(遊技領域)に打出された遊技球が、装飾部材の下方位置に配設した始動入賞装置に入賞することにより、図柄表示装置での図柄変動ゲームが行なわれるようになっている。また、多くのパチンコ機では、装飾部材に、所要の動作を行なう演出部材を備えた可動式の演出装置が配設されており、図柄表示装置での図柄変動ゲームに合わせて演出部材を動作させることにより演出効果の向上が図られている(例えば、特許文献１参照)。
【特許文献１】特開２００４−６５６３９号公報
【発明の開示】
【発明が解決しようとする課題】
【０００３】
このような従来の演出装置における演出部材の駆動機構として、例えば、演出部材に第１の演出動作をさせる第１駆動手段と、第１の演出動作の終了後に演出部材に連続的に第２の演出動作を行なわせる第２駆動手段とから構成され、これら２つの駆動手段により演出部材に複雑な動作を行なわせるようにしたものがある。すなわち、この演出装置は、２つの駆動手段により演出部材に第１の演出動作と第２の演出動作とを時系列に沿って連続的に行なわせて、遊技の趣向を高めている。ところが、従来の演出装置においては、第１,第２駆動手段に、夫々互いに独立した電力供給回路が備えられており、何等かのトラブルにより一方の駆動手段が作動不能となった場合でも、他方の駆動手段は、通常通り電力供給がなされて作動を続行してしまう。このため、作動不能となった駆動手段による演出動作が実行されないにも拘わらず、正常な駆動手段による演出部材の演出動作のみが断続的に実行され、演出部材が意図しない動作をすることがあった。また、このように、一方の駆動手段が停止した状態で他方の駆動手段が演出部材を作動させると、演出部材や駆動手段等に過大な負荷が掛かって故障や破損の原因となることもあった。
【０００４】
そこで本発明は、従来の遊技機用の可動式演出装置に内在する前記問題に鑑み、これを好適に解決するべく提案されたものであって、一方の駆動手段による演出動作の完了を条件に、他方の駆動手段による演出動作が許容される遊技機用の可動式演出装置を提供することを目的とする。
【課題を解決するための手段】
【０００５】
前記課題を克服し、所期の目的を達成するため、請求項１に係る発明の遊技機用の可動式演出装置は、
図柄を変動表示させて遊技演出を行なう図柄表示装置(16)が臨む装飾部材(18)に配設され、前記図柄表示装置(16)の遊技演出に合わせて演出部材(36)に所定の演出動作を行なわせる遊技機用の可動式演出装置において、
前記装飾部材(18)に固定された装置本体(44)に配設された第１および第２駆動手段(40,42)と、
前記第１駆動手段(40)および前記演出部材(36)に連繋して、該第１駆動手段(40)の駆動により作動して演出部材(36)に第１の演出動作を行なわせる第１作動機構(46)と、
前記第２駆動手段(42)および前記演出部材(36)に連繋して、該第２駆動手段(42)の駆動により作動して演出部材(36)に第２の演出動作を行なわせる第２作動機構(48)と、
前記演出部材(36)が第１の演出動作を完了した時にＯＮ状態とされて、前記第２駆動手段(42)の駆動を許容するスイッチ手段(60)とを備えていることを特徴とする。
請求項１の発明によれば、第１駆動手段による演出部材の第１の演出動作の完了時にスイッチ手段がＯＮ状態とされて第２駆動手段の駆動が許容されるので、演出部材の一連の演出動作を確実に実行することができる。従って、演出部材が想定外の動きをしたり、強制的な演出動作により駆動手段や演出部材等に負荷が掛かって故障が発生するのを防止し得る。
【０００６】
請求項２に係る遊技機用の可動式演出装置では、前記スイッチ手段(60)は、前記演出部材(36)の第１の演出動作と共に移動する可動素子(58)と、演出部材(36)の第１の演出動作の完了時に可動素子(58)が接触して前記ＯＮ状態とする固定素子(56)とを備え、両素子(58,56)は、前記第２の演出動作時の接触状態が維持されるようにした。
請求項２の発明によれば、演出部材の第２の演出動作の間、可動素子および固定素子の接触が維持されるので、第２駆動手段の駆動が維持されて第２の演出動作を確実に実行し得る。
【０００７】
請求項３に係る遊技機用の可動式演出装置では、前記可動素子(58)を前記第１作動機構(46)に設けると共に、前記固定素子(56)を、前記装置本体(44)において該第１作動機構(46)が前記演出部材(36)に第１の演出動作を行なわせたときの可動素子(58)が臨む位置に固定配置し、演出部材(36)を第２の演出動作が許容されるよう第１作動機構(46)に移動可能に連携することで、演出部材(36)の第２の演出動作の間、第１作動機構(46)は、演出部材(36)に第１の演出動作を行なわせた位置に保持される。
請求項３の発明によれば、第１作動機構に対して演出部材を移動可能に連繋することで、演出部材の第２の演出動作時には第１作動機構が移動しないように構成したので、可動素子および固定素子の接触状態が維持されて、第２の演出動作を確実に実行し得る。
【０００８】
請求項４に係る遊技機用の可動式演出装置では、前記可動素子(58)を前記演出部材(36)に設けると共に前記固定素子(56)が前記装置本体(44)に配設され、該固定素子(56)を、演出部材(36)が第２の演出動作を行なう際の可動素子(58)の移動軌跡に沿って延在させて、第２の演出動作時における可動素子(58)および固定素子(56)の接触状態が維持されるようにした。
請求項４の発明によれば、演出部材の第２の演出動作において可動素子および固定素子の接触状態が維持されるので、第２の演出動作を確実に行ない得る。
【発明の効果】
【０００９】
本発明に係る遊技機用の可動式演出装置によれば、演出部材の第１の演出動作の終了を条件に第２の演出動作が許容されるので、該演出部材の一連の演出動作を確実に行ない得る。
【発明を実施するための最良の形態】
【００１０】
次に、本発明に係る遊技機用の可動式演出装置につき、好適な実施例を挙げて、添付図面を参照しながら、以下詳細に説明する。なお実施例では、可動式演出装置を一般的なパチンコ機(遊技機)に配設した場合で説明する。また、以下の説明において前・後および左・右とは、特に断りのない限り、図１に示すように遊技機の遊技盤を正面側から見た場合において指称するものとする。
【実施例】
【００１１】
(実施例１)
図１に示すように、実施例１に係るパチンコ機の遊技盤１０は、略円形状に湾曲形成したレール１２により遊技領域１４が画成され、その略中央位置に図柄表示装置１６を後方から臨ませた装飾部材１８が配設されている。遊技盤１０における装飾部材１８の下方には、遊技球検出用のスイッチ(図示せず)を備えた始動入賞具２０が設けられている。この始動入賞具２０に遊技球が入賞することで、図柄表示装置１６において図柄変動ゲームが開始されて、その結果、所定の図柄組合わせ(例えば、同一図柄の三つ揃え)が表示されると、遊技者に有利な特別遊技(所謂大当り)が発生するようになっている。また、始動入賞具２０の下方位置には、特別入賞口２２に設けられた扉状の開閉板２４が、後側の電磁ソレノイド(図示せず)の駆動に伴って通常の閉鎖状態から開放状態に変化し得るよう構成された電動式の特別入賞装置２６が配設されており、特別遊技の発生により開閉板２４を開放して遊技球が特別入賞口２２に入賞することで、球皿(図示せず)に賞球が払出されるようになっている。
【００１２】
前記装飾部材１８は、遊技領域１４の大部分を占める大型部材であって、図柄表示装置１６を臨ませる開口部２８が大部分に亘って開設された略円形の枠状本体３０を、遊技盤１０に開設した装着孔(図示せず)に前側から挿入した状態で、遊技盤１０に対してネジ止め固定される。前記枠状本体３０の前面は、装飾具３２や発光装置３４等が全体に亘って施されて意匠面を構成すると共に、前記開口部２８の右側に設けたスペースＳに、大砲に模された演出部材３６を備えた可動式演出装置３８が配設されている。この可動式演出装置３８では、図柄表示装置１６の図柄組合わせゲームに合わせて、演出部材３６に所定の演出動作を行なわせて多彩な演出を行なうと共に、前記装飾具３２や発光装置３４等の他の演出用部品と合わせて、装飾部材１８全体として相乗的な演出効果を発現するよう構成される。
【００１３】
図２(ａ)および(ｂ)に示すように、可動式演出装置３８は、前記演出部材３６と、該演出部材３６の駆動源をなす第１および第２駆動手段４０,４２等を備えた装置本体４４と、該第１駆動手段４０で作動されて演出部材３６に第１の演出動作を行なわせる第１作動機構４６および第２駆動手段４２で作動されて演出部材３６に第２の演出動作を行なわせる第２作動機構４８とから基本的に構成されている。
【００１４】
図３は、実施例１に係る可動式演出装置３８を裏側(後方)から見た図であって、前記装置本体４４は、前記装飾部材１８のスペースＳ内に固定される取付基板５０(図２参照)を備え、該取付基板５０の前面に、前記第１および第２駆動手段４０,４２とが配設されている。また、前記取付基板５０の前面下部には、前記第２作動機構４８をスライド自在に支持する支持部５２が固定され、該支持部５２の前端(図３の右側)から薄板状の壁部５４が上方に向けて立設されている。この壁部５４の上端には、左上方(図３では右上方)へ向けて所要長さで延出する固定素子５６が設けられている。この固定素子５６は、後述する可動素子５８と共に第２駆動手段４２に電力を供給する駆動制御系Ｃ(図４参照)の開閉スイッチ(スイッチ手段)６０を構成し、該固定素子５６と可動素子５８とが接触することで第２駆動手段４２への電力供給が許容されるようになっている。また、前記固定素子５６は弾性変形可能に構成され、前記可動素子５８との接触時に破損しないようになっている。
【００１５】
なお、前記取付基板５０は、前記装飾部材１８のスペースＳ内にネジ止めされて固定される。また、図２に示すように、前記取付基板５０の前面に演出部材３６の原位置(図３(ａ)の状態)を検知する原位置スイッチ６２が配設され、該原位置スイッチ６２の検知部６４が、取付基板５０に開設した図示しない開口部を介して該取付基板５０の裏側であって後述する中継ギヤ７０の前面に対向するよう臨んでいる(図３(ａ)参照)。この検知部６４は、左右に長い矩形体であって、その幅方向中央位置に後述する遮光板７２が出入り可能な凹部６４ａが開設されている。
【００１６】
前記第１駆動手段４０は、図示しない制御基板により正逆回転制御される電動モータであって、前記取付基板５０の裏面に配設された減速機構６６を介して前記第１作動機構４６を作動させるようになっている。減速機構６６は、図３に示すように、前記第１駆動手段４０のモータ回転軸４０ａに連結されて該回転軸４０ａと共に回転するモータギヤ６８と、このモータギヤ６８に噛合して該モータギヤ６８と反対方向に回転する大径の中継ギヤ７０とから構成される。この中継ギヤ７０の表側(演出部材３６側)には、図３(ａ)に示す如き遮光板７２が設けられ、中継ギヤ７０と共に該遮光板７２が回転するようになっている。そして、この遮光板７２が前記原位置スイッチ６２の検知部６４の凹部６４ａに臨むことで、該原位置スイッチ６２が演出部材３６の原位置を検知するよう構成される。
【００１７】
前記第１作動機構４６は、図３に示すように、緩やかに湾曲形成された所要長さの板状体であって、長手方向の一端部７４(図３では左端)が前記中継ギヤ７０の回転軸７０ａに一体回転するように連結されている。また、第１作動機構４６の他端部(図３では右端)には、前記演出部材３６の裏側に設けられた長溝部７６にスライド自在に連繋される連繋部７８が設けられている。そして、第１作動機構４６は、前記第１駆動手段４０が駆動することで、前記一端部７４を回転軸として、前記連繋部７８を上方に位置させた第１姿勢(図３(ａ)参照)から、該連繋部７８を下方に位置させた第２姿勢(図３(ｂ)参照)まで回動するよう構成されている。更に、図３に示すように、前記第１作動機構４６における長手方向の略中央位置には、下方に向けて突出する可動素子５８が設けられている。この可動素子５８は、前記駆動制御系Ｃにおいて前記固定素子５６に対する可動接点素子として機能するものであり、第１作動機構４６が第２姿勢となったときに、可動素子５８が前記固定素子５６と接触するよう構成される。従って、前記固定素子５６の配設位置は、前記第１作動機構４６が第２姿勢となったときの可動素子５８が臨む位置に設定される。なお、前記第１駆動手段４０は、前記可動素子５８が固定素子５６に接触した際に停止制御されるようになっている。
【００１８】
前記第２駆動手段４２は、前記駆動制御系Ｃに接続された電磁ソレノイドであって、前記開閉スイッチ６０がＯＮ状態とされることで、統括制御基板９４の制御のもと、所定時間励磁されるよう構成されている。図４に示すように、統括制御基板９４は、制御部９６と該制御部９６の作動指令に基づきトランジスタ９７に高電圧を与えるドライバ９８とを備えている。前記トランジスタ９７は、常には、低電圧が印加されており、この低電圧印可状態では、前記開閉スイッチ６０がＯＮしても、第２駆動手段４２への通電は規制されるようになっている。一方、前記制御部９６がドライバ９８に対して作動指令を所定時間与えることで、該ドライバ９８がトランジスタ９７に高電圧を所定時間印加する。すなわち、前記開閉スイッチ６０が駆動制御系Ｃを閉路し、かつ統括制御基板９４により通電が許容されたもとで、第２駆動手段４２への通電がなされるよう構成されている。そして、通電が許容されると第２駆動手段４２は励磁して、その左側(図３では右側)から延出するプランジャ８０をバネ８２の弾性力に抗して引き込むようになっている。
【００１９】
前記第２作動機構４８は、前記支持部５２の上側にスライド自在に支持されると共に、第２作動機構４８の幅方向略中央位置に立設された連繋部材８４に前記プランジャ８０の端部が連結されて、前記２駆動手段４２が励磁されると該プランジャ８０と共に第２作動機構４８が右方向(図３では、左方向)へスライドするよう構成される。また、図２に示すように、第２作動機構４８の前面右側にボス部８６が形成され、該ボス部８６に前記演出部材３６の右側の端部(回動軸部８８)が回動自在に嵌挿される。すなわち、前記第２作動機構４８は、前記第２駆動手段４２が励磁される前の第１位置(図３(ａ)および(ｂ))から、該第２駆動手段４２が励磁されて前記プランジャ８０と共に右側(図３では左側)に移動した第２位置(図３(ｃ))まで変位可能に構成される。なお、前記第２作動機構４８は、演出部材３６である大砲に対応する砲台に模されており、該第２作動機構４８がスライドすることで砲台が左右に移動する演出効果を呈するようになっている。
【００２０】
前記演出部材３６は、大砲に模された所要長さの円柱体であって、該演出部材３６の裏側に形成された前記長溝部７６に前記第１作動機構４６の連繋部７８が摺動自在に連繋されている。また、前述したように、前記演出部材３６の右側の端部が回動軸部８８とされて、前記第２作動機構４８のボス部８６に回動自在に嵌合している。そして、前記第１作動機構４６が第１姿勢から第２姿勢に姿勢変化するのに伴い、前記演出部材３６は、前記回動軸部８８を回動中心として、左側の端部(開放端９０)を上昇させた第１姿勢(図３(ａ)参照)から、該開放端９０を下降させた第２姿勢(図３(ｂ)参照)へと姿勢変化する第１の演出動作を行なうようになっている。更に、前記第２作動機構４８が第１位置から第２位置までスライドすることで、演出部材３６も同様に、図３(ｂ)に示す第１位置から図３(ｃ)に示す第２位置まで右方向(図３では左方向)に向けてスライドする第２の演出動作を行なうように構成されている。すなわち、演出部材３６は、前記第１駆動手段４０の駆動により第１作動機構４６と共に第１の演出動作を行なうと共に、前記第２駆動手段４２の駆動により第２作動機構４８と共に第２の演出動作を行なうよう構成されている。
【００２１】
ここで、図３に示すように、前記第１作動機構４６の連繋部７８が摺動自在に係合される長溝部７６は、演出部材３６の長手方向に沿って延在している。そして、第１作動機構４６は、前記演出部材３６が第１姿勢となったときに、連繋部７８が前記長溝部７６内における前記第１駆動手段４０から離間する側で係合すると共に(図３(ａ)参照)、演出部材３６が第２姿勢となったときに、連繋部７８が長溝部７６内を相対的に摺動して該長溝部７６の第１駆動手段４０に近接する側で係合するよう構成される(図３(ｂ)参照)。更に第１作動機構４６は、前記演出部材３６が第２の演出動作をする間、第２姿勢のまま停止状態に保持されるようになっている。すなわち、前記演出部材３６の長溝部７６は、図３(ｂ)に示すように、演出部材３６が第２姿勢となったときに、該演出部材３６が第２の演出動作時にスライドする方向と略一致する方向に延在するよう設定される。そして、演出部材３６が第２の演出動作を行なう際に、前記第１作動機構４６の連繋部７８が長溝部７６内を係合状態のまま相対的にスライドすることで、第１作動機構４６は、第２の演出動作の間、第２姿勢のまま停止状態に保持される(図３(ｃ)参照)。
【００２２】
そして、第２の演出動作の際に前記第１作動機構４６が第２姿勢に保持されることで、前記第２駆動手段４２への電力供給が遮断されることなく、演出部材３６の第２の演出動作が確実に行なわれるようになっている。すなわち、前述した如く、前記可動素子５８および固定素子５６は、前記第２駆動手段４２の駆動制御系Ｃの開閉スイッチ６０を構成し、前記演出部材３６が第１の演出動作をした際に、前記可動素子５８が固定素子５６に接触して前記駆動制御系Ｃが閉路される。そのもとで、前記統括制御基板９４が所定時間通電を許容するとことで、演出部材３６の第２の演出動作がなされる。そして、第２の演出動作の間に、第１作動機構４６は移動することなく第２姿勢に保持されるので、前記可動素子５８および固定素子５６の接触状態を維持することが可能となる。なお、前記制御部９６がドライバ９８に指令を送る時間により、第２駆動手段４２へ通電される時間が規定される。従って、制御部９６のドライバ９８に対する指令時間は、少なくとも演出部材３６が第２の演出動作を完了するのに十分な値に設定されている。
【００２３】
(実施例１の作用)
次に、実施例１に係る可動式演出装置３８の作用につき説明する。この可動式演出装置３８は、通常時には、図２(ａ)に示すように、演出部材３６の開放端９０を上昇させた第１姿勢となっている。そして、遊技者の遊技操作に応じて遊技盤１０の遊技領域１４に打出された遊技球が始動入賞具２０に入賞することにより、図柄表示装置１６での図柄変動ゲームが行なわれ、これに合わせて可動式演出装置３８の演出部材３６が前記第１および第２の演出動作を連続的に行なうようになっている。
【００２４】
具体的には、所定条件の下、第１駆動手段４０に電力供給がなされると、該第１駆動手段４０が駆動して、モータ回転軸４０ａに軸支されたモータギヤ６８を一方向(図３では、反時計方向)に回転させる。これと同時に、モータギヤ６８に噛合した中継ギヤ７０が他方向(図３では、時計方向)に回転される。そして、中継ギヤ７０の回転軸７０ａに連結された前記第１作動機構４６が、前記一端部７４を回転中心として第１姿勢から第２姿勢へと連繋部７８を下降させる方向へ回動する(図３(ｂ)参照)。この第１作動機構４６の姿勢変化と共に、前記演出部材３６も第１姿勢から第２姿勢へと姿勢変化して第１の演出動作が行なわれる(図２(ｂ)参照)。このとき、前記第１作動機構４６に設けられた可動素子５８が移動して、該第１作動機構４６(演出部材３６)が第２姿勢となったときに、可動素子５８が前記固定素子５６に接触する(図３(ｂ))。なお、演出部材３６が第１の演出動作をする際に、前記第１作動機構４６の連繋部７８が長溝部７６内をスライドして、演出部材３６はスムーズに第１の演出動作を行ない得る。また、前記第１駆動手段４０は、可動素子５８および固定素子５６が接触した際に停止制御される。
【００２５】
前記可動素子５８と固定素子５６とが接触すると、前記駆動制御系Ｃが閉路され、これと同時に、前記統括制御基板９４の制御部９６がドライバ９８に対し、所定時間、指令信号を送出する。するとドライバ９８は、前記トランジスタ９７に高電圧を印可して第２駆動手段４２への電力供給が許容される。すなわち、第２駆動手段４２が励磁され、前記プランジャ８０がバネ８２の弾性力に抗して引き込まれる。すると、前記プランジャ８０に連結した第２作動機構４８が右方向(図３では左方向)へスライドして、演出部材３６が第２作動機構４８と共に第１位置から第２位置に移動される。すなわち、前記第１の演出動作をした演出部材３６は、前記開閉スイッチ６０がＯＮ状態とされて直ちに第２の演出動作を行なうので、第１および第２の演出動作が連続的になされ１つの演出効果が呈される。しかも、前記第１作動機構４６は、演出部材３６の長溝部７６に摺動自在に連繋されているので、演出部材３６が第２の演出動作をする間、連繋部７８が長溝部７６内を摺動して、第１作動機構４６は第２姿勢のまま停止状態に維持される(図３(ｃ)参照)。従って、前記可動素子５８および固定素子５６の接触状態は、第２の演出動作の間も維持されて、第２駆動手段４２への電力供給が遮断して演出部材３６の第２の演出動作が中断してしまうと云った不具合が生じるのを防止し得る。
【００２６】
所定時間経過して、前記制御部９６によるドライバ９８への指令が終了されると、前記ドライバ９８は停止してトランジスタ９７に対する高電圧の印可を終了させる。そして、トランジスタ９７に低電圧が印可され、第２駆動手段４２への電力供給は停止される。第２駆動手段４２への通電が停止されると、前記プランジャ８０はバネ８２の弾性力により引き出される。これにより、演出部材３６は、第２作動機構４８と共に左方向へスライドして(すなわち、第２の演出動作と逆の動作)、第２位置から第１位置に復帰する。そして、演出部材３６が第１位置に復帰すると、第１駆動手段４０に再び電力供給がなされ、第１駆動手段４０はモータ回転軸４０ａを逆回転させる。すなわち、前記モータギヤ６８が図３に示す時計方向に回転されると共に、前記中継ギヤ７０が反時計方向に回転され、前記第１作動機構４６が第２姿勢から第１姿勢に姿勢変化する。この第１作動機構４６と共に、前記演出部材３６が図３の半時計方向に回動して、第２姿勢から第１姿勢に戻される。このとき、前記可動素子５８が固定素子５６から離脱して、開閉スイッチ６０はＯＦＦとされる(なお、この時点では、第２駆動手段４２への電力供給は既に停止されている)。また、演出部材３６が第１位置に復帰すると、前記中継ギヤ７０に設けられた遮光板７２が原位置スイッチ６２の検知部６４に臨む(図３(ａ))。そして、原位置スイッチ６２による原位置検知により、前記第１駆動手段４０への電力供給が停止され、演出部材３６が第１姿勢に保持される。
【００２７】
このように、実施例１に係る可動式演出装置３８によれば、第１駆動手段４０の第１の演出動作の完了時に可動素子５８および固定素子５６が接触して駆動制御系Ｃを閉路し、前記統括制御基板９４により通電が許容されるので、演出部材３６は、第１の演出動作の終了後、直ちに第２の演出動作を行なうこととなる。従って、演出部材３６が想定外の動きをすることがなく、演出部材３６の一連の演出動作が確実に実行されて、有効な演出効果を奏することが可能となる。また、第１駆動手段４０の故障や、制御系の不具合等の理由によって第１駆動手段４０が駆動されず、演出部材３６の第１の演出動作が実施されない場合がある。このような状況にも拘わらず、第２駆動手段４２が駆動されて、演出部材３６が前記第１姿勢のまま第２の演出動作をすると、該演出部材３６や第２作動機構４８等に強い負荷が加わって故障や破損が生じる虞がある。しかるに、実施例に係る可動式演出装置３８では、第１の演出動作の完了を条件に第２の演出動作が実施されるので、前述した演出部材３６等の故障が生じることはない。更に、第２の演出動作の間、可動素子５８および固定素子５６の接触状態は維持されるので、演出部材３６は第２の演出動作を中断することなく確実になし得る。
【００２８】
(実施例２)
次に、実施例２に係る可動式演出装置の説明を行なう。なお、以下の説明では、実施例１との相違点のみ説明することとし、実施例１と同一の部材については同じ符号を付して説明を省略する。
【００２９】
図５は、実施例２に係る可動式演出装置１００を正面から見た概略説明図であって、この可動式演出装置１００では、可動素子５８が演出部材３６の下部に設けられて、該演出部材３６の演出動作と共に移動するよう構成されている。固定素子５６については、実施例１と同様に、前記支持部５２に立設された壁部５４の上端に配設され、演出部材３６の第１の演出動作完了時に前記可動素子５８が固定素子５６に接触するよう構成される。また、前記固定素子５６は、演出部材３６が第２の演出動作を行なう際に前記可動素子５８が移動する軌跡に沿って延在している。すなわち、前記固定素子５６は、前記壁部５４の上端から所要長さで左側上方へ向け延在して、演出部材３６の第２の演出動作の間に可動素子５８が固定素子５６上を摺動することで、両素子５６,５８の接触状態が維持されるよう設定されている。
【００３０】
実施例２の可動式演出装置１００の作用については、所定条件の下、前記第１駆動手段４０が駆動して、前記演出部材３６が図５(ａ)に示す第１姿勢から図５(ｂ)の第２姿勢に姿勢変化する第１の演出動作を行なうと、可動素子５８が演出部材３６と共に移動して、前記固定素子５６と接触する。すると、駆動制御系Ｃが閉成され、かつ統括制御基板９４による通電が許容されると第２駆動手段４２への電力供給がなされ、前記第２作動機構４８が右方向へスライドされる。これにより、前記演出部材３６は、第２作動機構４８と共に右方向へスライドして、図５(ｂ)に示す第１位置から、図５(ｃ)に示す第２位置に変位する第２の演出動作を行なう。このとき、前記可動素子５８が演出部材３６と共に移動するものの、前記固定素子５６上を接触状態のまま摺動するので、前記第２駆動手段４２への電力供給は中断されることはなく、演出部材３６は第２の演出動作を確実に実行することができる。
【００３１】
すなわち、実施例２に係る可動式演出装置１００においても、演出部材３６の第２の演出動作の間、可動素子５８と固定素子５６との接触状態が維持されるから、前記第２駆動手段４２への電力供給が維持されて、第２の演出動作を確実に行なわせることが可能となる。
【００３２】
(変更例)
なお、前述した固定素子５６および可動素子５８の構成については、第１の演出動作完了時に固定素子５６および可動素子５８が接触し得ると共に、第２の演出動作の間、この接触状態が維持される構成であれば、実施例で示した態様に限定される訳ではない。例えば、前記第１作動機構４６を第２の演出動作時に演出部材３６と共に移動する構成とし、この第１作動機構４６に可動素子５８を設けるようにしてもよい。この場合、前記固定素子５６は、実施例２で示した如く、前記支持部５２における壁部５４上端に、第２の演出動作時に前記第１作動機構４６と共に移動する可動素子５８の移動軌跡に沿って延在するよう配設される。
【００３３】
また、図６の変更例に係る可動式演出装置１０２に示すように、前記固定素子５６を第２作動機構４８の左側部に立設した壁部１０４の上端に設けると共に、前記可動素子５８を演出部材３６の下部に設けてもよい。そして、演出部材３６が、図６(ａ)に示す第１姿勢から図６(ｂ)に示す第２姿勢となったときに、可動素子５８が固定素子５６に接触するよう構成する。この構成の場合は、第２の演出動作時に、図６(ｃ)に示す如く、固定素子５６および可動素子５８は、接触状態を維持したまま第２作動機構４８および演出部材３６と共に移動するから、実施例１および２で示した可動式演出装置３８,１００と同様に、演出部材３６に第２の演出動作を確実に行なわせることが可能となる。
【００３４】
なお、実施例では、可動素子５８および固定素子５６が接触すると駆動制御系Ｃが閉路され、かつ統括制御基板９４が通電時間を制御することで第２駆動手段４２への電力供給が許容されて該第２駆動手段４２が駆動する構成とされた。しかしながら、可動素子５８および固定素子５６が接触することで第２駆動手段４２の駆動が許容されるのであれば、他の構成を採用することも可能である。例えば、図７に示すように、前記可動素子５８および固定素子５６を電源１０６に直接接続して、電力供給回路Ｄの開閉接点素子を構成するようにしてもよい。そして、可動素子５８および固定素子５６が接触することで前記電力供給回路Ｄが閉路され、第２駆動手段４２への電力供給が許容される。この場合、第２駆動手段４２への通電時間は、所要の統括制御手段１０８により電源１０６の作動を所定時間ＯＮ−ＯＦＦ制御することで規定される。
【００３５】
また、実施例では、演出部材３６が回動する第１の演出動作と、横方向にスライドする第２の演出動作とを連続して行なう構成としたが、第１,第２の演出動作としては、実施例に限定される訳でなく、適宜変更可能である。例えば、第１,第２の演出動作を共に回転運動または直線運動としてもよい。更に、実施例で示した第１,第２駆動手段４０,４２についても、モータおよび電磁ソレノイドの組合わせに限定されず、何れも電動モータ若しくは電磁ソレノイドとしたり、他の駆動機構等を採用したりしても構わない。
【図面の簡単な説明】
【００３６】
【図１】本発明の実施例１に係る可動式演出装置が実装されたパチンコ機の遊技盤を示す正面図である。
【図２】実施例１に係る可動式演出装置を示す斜視図であって、(ａ)は演出動作を行なう前の状態を示し、(ｂ)は第１の演出動作を行なった状態を示す。
【図３】実施例１に係る可動式演出装置の背面図であって、(ａ)は演出動作を行なう前の状態を示し、(ｂ)は第１の演出動作を行なった状態を示し、(ｃ)は第２の演出動作を行なった状態を示す。
【図４】第２駆動手段の駆動制御系を示す概略図である。
【図５】実施例２に係る可動式演出装置を概略的に示す正面図であって、(ａ)は演出動作を行なう前の状態を示し、(ｂ)は第１の演出動作を行なった状態を示し、(ｃ)は第２の演出動作を行なった状態を示す。
【図６】変更例に係る可動式演出装置を概略的に示す正面図であって、(ａ)は演出動作を行なう前の状態を示し、(ｂ)は第１の演出動作を行なった状態を示し、(ｃ)は第２の演出動作を行なった状態を示す。
【図７】変更例に係る第２駆動手段の電力供給回路を示す図である。
【符号の説明】
【００３７】
１６ 図柄表示装置
１８ 装飾部材
３６ 演出部材
４０ 第１駆動手段
４２ 第２駆動手段
４４ 装置本体
４６ 第１作動機構
４８ 第２作動機構
５６ 固定素子
５８ 可動素子
６０ 開閉スイッチ(スイッチ手段)
【図１】
2008125565.tif 000003
【図２】
2008125565.tif 000004
【図３】
2008125565.tif 000005
【図４】
2008125565.tif 000006
【図５】
2008125565.tif 000007
【図６】
2008125565.tif 000008
【図７】
2008125565.tif 000009